(57)【要約】【課題】  限られた記録容量を有効活用可能なデータ記録装置及びデータ記録方法を提供すること。【解決手段】  データを圧縮及び記録を行うデータ記録装置は、圧縮率の異なる複数の圧縮方式１０５〜１０８を有する圧縮部１０３を備える。ＣＰＵ１１２は、記録部１１０の記録媒体１１１の空き容量を管理し、記録媒体１１１の空き容量に応じて圧縮方式を選択して、スイッチ１０４及び１０９を制御する。デッキ部１０１に挿入されたメディア１０２から取得したデータは、選択された圧縮方式で圧縮されて記録媒体１１１に記録される。【選択図】  図１
2005353108.tif 000002
【特許請求の範囲】
【請求項１】
圧縮率の異なる複数の圧縮方式を有する圧縮手段と、
データを記録する記録媒体の空き容量を管理する記録媒体管理手段と、
前記空き容量に応じて前記圧縮手段の圧縮方式を選択する制御を行う圧縮方式選択手段と、
前記選択された圧縮方式で圧縮されたデータを前記記録媒体に記録する記録手段と、
を備えるデータ記録装置。
【請求項２】
請求項１記載のデータ記録装置であって、
前記圧縮方式選択手段は、前記複数の圧縮方式のうち、少なくとも一つで圧縮した場合の前記データのデータ量を算出し、前記算出したデータ量と前記空き容量とを比較して、前記算出したデータ量が前記空き容量以下となる圧縮方式を選択するデータ記録装置。
【請求項３】
請求項１又は２記載のデータ記録装置であって、
前記圧縮方式選択手段は、前記データ量の算出及び前記空き容量との比較を、圧縮率の低い圧縮方式から順に行うデータ記録装置。
【請求項４】
請求項１ないし３のいずれか一項記載のデータ記録装置であって、
前記複数の圧縮方法で圧縮されたデータを伸長する伸長手段を更に備え、
前記記録媒体管理手段は、前記記録媒体に記録されているデータと、その圧縮方式を対応付けて管理し、
前記伸長手段は、前記記録媒体に新たなデータを記録する際に前記記録媒体の空き容量が不足していると判断された場合に、前記記録媒体に記録されているデータのうち少なくとも一つを伸長し、
前記圧縮手段は、前記管理されている伸長されたデータに対応した圧縮方式に基づいて、伸長前の圧縮方式より圧縮率の高い圧縮方式で前記伸長されたデータを圧縮するデータ記録装置。
【請求項５】
請求項４記載のデータ記録装置であって、
前記圧縮方式選択手段は、前記記録媒体に記録されているデータのうち、前記圧縮率の低い圧縮方式で記録されたデータを前記伸長するデータとして選択し、前記空き容量として前記選択されたデータを伸長前の圧縮方式より圧縮率の高い圧縮方式を行った場合の空き容量を算出して、その空き容量に基づいて前記記録すべきデータの圧縮方式を選択するデータ記録装置。
【請求項６】
データを記録する記録媒体の空き容量と、記録すべきデータのデータ量とを取得するステップと、
前記空き容量に応じて、前記データの圧縮方式として、複数の圧縮方式のうちの一つ選択する制御を行うステップと、
前記選択された圧縮方式で圧縮されたデータを前記記録媒体に記録するステップと、
を有するデータ記録方法。
【請求項７】
請求項６記載のデータ記録方法であって、
前記圧縮方式を選択するステップは、
前記複数の圧縮方式のうち、少なくとも一つで圧縮した場合の前記データのデータ量を算出するステップと、
前記算出したデータ量と前記空き容量とを比較するステップと、
前記算出したデータ量が前記空き容量以下となる圧縮方式を選択するステップとを有するデータ記録方法。
【請求項８】
請求項６又は７記載のデータ記録方法であって、
前記データ量の算出及び前記空き容量との比較は、圧縮率の低い圧縮方式から順に行われるデータ記録方法。
【請求項９】
請求項６ないし８記載のデータ記録方法であって、
前記記録媒体に新たなデータを記録する際に前記記録媒体の空き容量が不足していると判断された場合に、前記伸長手段は前記記録媒体に記録されているデータのうち少なくとも一つを伸長するステップと、
伸長されたデータを、更に圧縮率の高い圧縮方式で圧縮するステップと、
を更に有するデータ記録方法。
【請求項１０】
請求項９記載のデータ記録方法であって、
前記圧縮方式を選択するステップは、前記記録媒体に記録されているデータのうち、前記圧縮率の低い圧縮方式で記録されたデータを伸長するステップと、前記空き容量として、前記選択されたデータを伸長前の圧縮方式より圧縮率の高い圧縮方式を行った場合の空き容量を算出するステップと、その空き容量に基づいて前記記録すべきデータの圧縮方式を選択するステップと、を有するデータ記録方法。
【請求項１１】
コンピュータに、請求項６ないし１０のいずれか一項記載の各ステップを実行させるためのデータ記録プログラム。
【発明の詳細な説明】
【技術分野】
【０００１】
本発明は、オーディオデータ等を記録媒体に圧縮及び記録するデータ記録装置及びデータ記録方法に関するものである。
【背景技術】
【０００２】
従来、ディジタル情報記録装置としては図９に示すものが知られている。従来の記録装置としては記録媒体において、圧縮し記録済みの情報のうち過去に再生したことのある情報部分を特定可能とする再生済み情報（リードフラグ９０１）また、圧縮し記録済みの情報のうち保存すべき情報部分を特定可能とするアーカイブ情報（アーカイブフラグ９０２）を持ちこれらの情報を管理する。新たに記録が必要となりかつ記録媒体の記録容量が不足する際は、この管理情報から記録保持優先度の低いデータを削除し、新たに記録が必要となる記録容量を確保して記録を行うものである（例えば、特許文献１参照）。
【特許文献１】特開２００２−１９０１８３号広報
【発明の開示】
【発明が解決しようとする課題】
【０００３】
しかしながら、上記の従来技術によれば、新たに記録が必要となった際の記録媒体の空き容量が例えば４メガバイトであり、ある圧縮方式により圧縮された記録されるデータ量が例えば５メガバイトであった場合は１メガバイト空き容量が不足することになり、既に記録されたデータの中で最も記録保持優先度の低いデータを選択し（例えば６メガバイト）削除しなければならない。すなわち記録媒体の空き容量である４メガバイトが使用できなく６メガバイトのデータを削除し、１０メガバイトの空き容量を確保し、５メガバイトのデータを記録することになる。また記録後は５メガバイトの空き容量が発生することになり、限られた記録容量の有効活用ができないものであった。
【０００４】
本発明は、上記従来の事情に鑑みてなされたものであって、限られた記録容量を有効活用可能なデータ記録装置及びデータ記録方法を提供することを目的とする。
【課題を解決するための手段】
【０００５】
本発明のデータ記録装置は、圧縮率の異なる複数の圧縮方式を有する圧縮手段と、
データを記録する記録媒体の空き容量を管理する記録媒体管理手段と、
前記空き容量に応じて前記圧縮手段の圧縮方式を選択する制御を行う圧縮方式選択手段と、
前記選択された圧縮方式で圧縮されたデータを前記記録媒体に記録する記録手段と、
を備える。
【０００６】
この構成により、複数の圧縮方式を利用して限られた記録容量を有効活用するデータ記録装置を提供することができる。
【０００７】
また、前記圧縮方式選択手段は、前記複数の圧縮方式のうち、少なくとも一つで圧縮した場合の前記データのデータ量を算出し、前記算出したデータ量と前記空き容量とを比較して、前記算出したデータ量が前記空き容量以下となる圧縮方式を選択する。
【０００８】
この構成により、圧縮されたデータが空き容量以下になるように圧縮方式を選択することによって、既に記録されているデータを削除することなく限られた記録容量を最大限有効活用することが可能となる。
【０００９】
また、前記圧縮方式選択手段は、前記データ量の算出及び前記空き容量との比較を、圧縮率の低い圧縮方式から順に行う。
【００１０】
この構成により、より低い圧縮率の圧縮方式を選択できるので、データの劣化を最小限にすることができる。
【００１１】
また、前記複数の圧縮方法で圧縮されたデータを伸長する伸長手段を更に備え、
前記記録媒体管理手段は、前記記録媒体に記録されているデータと、その圧縮方式を対応付けて管理し、
前記伸長手段は、前記記録媒体に新たなデータを記録する際に前記記録媒体の空き容量が不足していると判断された場合に、前記記録媒体に記録されているデータのうち少なくとも一つを伸長し、
前記圧縮手段は、前記管理されている伸長されたデータに対応した圧縮方式に基づいて、伸長前の圧縮方式より圧縮率の高い圧縮方式で前記伸長されたデータを圧縮する。
【００１２】
この構成により、新たに記録すべきデータに対する記録媒体の空き領域を生成することができるので、限られた記録容量を最大限有効活用することが可能となる。
【００１３】
また、前記圧縮方式選択手段は、前記記録媒体に記録されているデータのうち、前記圧縮率の低い圧縮方式で記録されたデータを前記伸長するデータとして選択し、前記空き容量として前記選択されたデータを伸長前の圧縮方式より圧縮率の高い圧縮方式を行った場合の空き容量を算出して、その空き容量に基づいて前記記録すべきデータの圧縮方式を選択する。
【００１４】
この構成により、空き領域の生成と、その記録データの選択を行うことができるので、限られた記録容量を有効活用することが可能となる。
【００１５】
本発明のデータ記録方法は、データを記録する記録媒体の空き容量と、記録すべきデータのデータ量とを取得するステップと、
前記空き容量に応じて、前記データの圧縮方式として、複数の圧縮方式のうちの一つ選択する制御を行うステップと、
前記選択された圧縮方式で圧縮されたデータを前記記録媒体に記録するステップと、
を有する。
【００１６】
この方法により、複数の圧縮方式を利用して限られた記録容量を有効活用するデータ記録装置を提供することができる。
【００１７】
また、前記圧縮方式を選択するステップは、
前記複数の圧縮方式のうち、少なくとも一つで圧縮した場合の前記データのデータ量を算出するステップと、
前記算出したデータ量と前記空き容量とを比較するステップと、
前記算出したデータ量が前記空き容量以下となる圧縮方式を選択するステップとを有する。
【００１８】
この方法により、圧縮されたデータが空き容量以下になるように圧縮方式を選択することによって、既に記録されているデータを削除することなく限られた記録容量を最大限有効活用することが可能となる。
【００１９】
また、前記データ量の算出及び前記空き容量との比較は、圧縮率の低い圧縮方式から順に行われる。
【００２０】
この方法により、より低い圧縮率の圧縮方式を選択できるので、データの劣化を最小限にすることができる。
【００２１】
また、前記記録媒体に新たなデータを記録する際に前記記録媒体の空き容量が不足していると判断された場合に、前記伸長手段は前記記録媒体に記録されているデータのうち少なくとも一つを伸長するステップと、
伸長されたデータを、更に圧縮率の高い圧縮方式で圧縮するステップと、
を更に有する。
【００２２】
この方法により、新たに記録すべきデータに対する記録媒体の空き領域を生成することができるので、限られた記録容量を最大限有効活用することが可能となる。
【００２３】
また、前記圧縮方式を選択するステップは、前記記録媒体に記録されているデータのうち、前記圧縮率の低い圧縮方式で記録されたデータを伸長するステップと、前記空き容量として、前記選択されたデータを伸長前の圧縮方式より圧縮率の高い圧縮方式を行った場合の空き容量を算出するステップと、その空き容量に基づいて前記記録すべきデータの圧縮方式を選択するステップと、を有する。
【００２４】
この方法により、空き領域の生成と、その記録データの選択を行うことができるので、限られた記録容量を有効活用することが可能となる。
【００２５】
また、本発明は、コンピュータに、上記いずれかのデータ記録方法の各ステップを実行させるためのデータ記録プログラムを提供する。
【発明の効果】
【００２６】
本発明によれば、限られた記録容量を有効活用可能なデータ記録装置及びデータ記録方法を提供することができる。
【発明を実施するための最良の形態】
【００２７】
以下本発明の実施の形態について、図１から図８を用いて説明する。なお、本発明の実施形態では、データ記録装置の一例としてオーディオデータを圧縮して記録するオーディオデータ記録装置を一例にとって説明するが、オーディオデータ記録装置に限られるものではない。
【００２８】
（第１の実施形態）
図１は本発明の第１の実施形態におけるオーディオデータ記録装置の基本的構成を示す図である。図１に示すように、第１の実施形態のオーディオデータ記録装置１００はデッキ部１０１と、それぞれ圧縮率の異なる圧縮方式１０５、圧縮方式１０６、圧縮方式１０７、圧縮方式１０８で圧縮可能であり、どの圧縮方式でデータを圧縮して出力するかを選択可能なスイッチ１０４及びスイッチ１０９を有する圧縮部１０３と、圧縮されたオーディオデータを記録する記録媒体１１１を有する記録部１１０と、記録媒体１１１の空き容量を管理するＣＰＵ１１２と、を備える。なお、圧縮部１０３は圧縮手段の機能を、記録部１１０は記録手段の機能を、ＣＰＵ１１２は圧縮方式選択手段及び記録媒体管理手段の機能を、それぞれ有する。
【００２９】
デッキ部１０１は外部から挿入されるメディア１０２からディジタル化したＰＣＭ（Pulse Code Modulation）等のオーディオデータを読み出し圧縮部１０３に出力する。またメディア１０２内に記録されているオーディオデータのブロック単位（例えばトラック）のデータ量を計算しＣＰＵ１１２に出力する。
【００３０】
圧縮部１０３はデッキ部１０１が出力するＰＣＭのオーディオデータをＣＰＵ１１２が行うスイッチ１０４及びスイッチ１０９の切替え制御に従い選択された圧縮方式で圧縮し、圧縮されたオーディオデータを記録部１１０へ出力する。記録部１１０は圧縮部１０３が出力する圧縮されたオーディオデータを記録媒体１１１に記録し記録媒体１１１の空き容量（管理情報）をＣＰＵ１１２へ出力する。
【００３１】
ＣＰＵ１１２は、オーディオデータ記録装置１００全体の動作を制御するもので、所定のプログラムによって動作するプロセッサを主体に構成される。そして、記録部１１０が出力する記録媒体１１１の空き容量と、デッキ部１０１が出力するＰＣＭのオーディオデータのデータ量とに基づいて圧縮方式を決定し、圧縮部１０３のスイッチ１０４及びスイッチ１０９の切替え制御を行う。このようにして、選択された圧縮方式での圧縮が可能となる。
【００３２】
図２は、複数の圧縮方式と圧縮率との対応関係の例を示す説明図である。図２に示すように、圧縮部１０３において、圧縮方式１０５、圧縮方式１０６、圧縮方式１０７、圧縮方式１０８は、デッキ部１０１が出力するＰＣＭのオーディオデータを、それぞれ１／２、１／５、１／１０、１／２０に圧縮可能な圧縮方式である。
【００３３】
上記のように構成されたオーディオデータ記録装置１００のオーディオデータの記録動作を説明する。図３は、第１の実施形態のデータ記録方法を示すフローチャートである。
【００３４】
まず、記録部１１０の記録媒体１１１に圧縮されたオーディオデータが何も記録されていない状態（例えば記録媒体の全容量が７４０メガバイトであり、管理情報から空き容量が７４０メガバイト）においては、ＣＰＵ１１２は通常圧縮方式として、圧縮方式１０５（圧縮率１／２）を選択するように圧縮部１０３のスイッチ１０４及びスイッチ１０９の切替え制御を行っている。
【００３５】
オーディオデータ記録装置１００を使用するユーザがデッキ部１０１にメディア１０２を挿入してトラック１のオーディオデータを圧縮し記録する場合、デッキ部１０１はトラック１のＰＣＭのオーディオデータ量を算出し、ＣＰＵ１１２へ出力する（ステップＳ３０１）。このＰＣＭのオーディオデータ量を、例えば５０メガバイトとする。
【００３６】
ＣＰＵ１１２はステップＳ３０１で取得したＰＣＭのオーディオデータ（５０メガバイト）を通常圧縮方式である圧縮方式１０５（圧縮率１／２）で圧縮後の圧縮されたオーディオデータ量（２５メガバイト）を計算する（ステップＳ３０２）。その後、記録部１１０の出力する記録媒体１１１の空き容量（７４０メガバイト）と、算出して得られた圧縮データ量とを比較する（ステップＳ３０３）。
【００３７】
記録媒体１１１の空き容量（７４０メガバイト）が圧縮されたオーディオデータ量（２５メガバイト）以上である場合（ステップＳ３０４のＹＥＳ）、記録可能と判断し、圧縮方式１０５（圧縮率１／２）を選択するように圧縮部１０３のスイッチ１０４及びスイッチ１０９の切替え制御を行う（ステップＳ３０５）。なお、この場合、元々圧縮方式１０５が選択されているためスイッチ１０４及びスイッチ１０９の切替えは発生しない。
【００３８】
デッキ部１０１はトラック１のＰＣＭのオーディオデータ（５０メガバイト）を圧縮部１０３に出力する。圧縮部１０３はＣＰＵ１１２によって圧縮方式１０５が選択されているため、デッキ部１０１が出力するＰＣＭのオーディオデータ（５０メガバイト）を圧縮率１／２で圧縮し、圧縮されたオーディオデータ（２５メガバイト）を記録部１１０に出力する。記録部１１０は圧縮部１０３が出力する圧縮されたオーディオデータ（２５メガバイト）を記録媒体１１１に記録し、記録後の空き容量（７１５メガバイト）をＣＰＵ１１２に出力する。ＣＰＵ１１２は記録後の空き容量（７１５メガバイト）を管理情報として記録する。
【００３９】
以上の動作を記録する必要がある都度行うことで圧縮率１／２で圧縮されたオーディオデータが記録媒体１１１に次々と記録され、記録媒体１１１の空き容量が少なくなる。
【００４０】
ここで、例えば記録媒体１１１の空き容量が５メガバイト、ＰＣＭのオーディオデータ量が５０メガバイトの場合について説明する。ＣＰＵ１１２は、通常圧縮方式である圧縮方式１０５（圧縮率１／２）を選択した際の圧縮されたオーディオデータ量を、２５メガバイトと算出する。そして、ＣＰＵ１１２は、記録媒体１１１の空き容量（５メガバイト）と、圧縮方式１０５（圧縮率１／２）を選択した際の圧縮されたオーディオデータ量（２５メガバイト）とを比較する（ステップＳ３０３）。その結果、空き容量は５メガバイト＜圧縮データ量２５メガバイトであるため、圧縮データ量は空き容量未満となり（ステップＳ３０４のＮＯ）、記録不可能と判断される。
【００４１】
次に、ＣＰＵ１１２は、圧縮方式１０５より圧縮率の高い圧縮方式１０６（圧縮率１／５）を選択した際の圧縮されたオーディオデータ量を再度計算し（ステップＳ３０６）、算出されたオーディオデータ量と空き容量とを比較する（ステップＳ３０３）。比較された結果、記録媒体１１１の空き容量は圧縮方式１０６（圧縮率１／５）を選択した際の圧縮されたオーディオデータ量未満（５メガバイト＜１０メガバイト）となり（ステップＳ３０４のＮＯ）、記録不可能と判断される。
【００４２】
次に、ＣＰＵ１１２は、圧縮方式１０６より圧縮率の高い圧縮方式１０７（圧縮率１／１０）を選択した際の圧縮されたオーディオデータ量を再度計算し（ステップＳ３０６）、同様に空き容量と比較される（ステップＳ３０３）。比較された結果、記録媒体１１１の空き容量は圧縮方式１０７（圧縮率１／１０）を選択した際の圧縮されたオーディオデータ量以上（５メガバイト＝５メガバイト）となり（ステップＳ３０４のＹＥＳ）、記録可能と判断される。
【００４３】
そして、圧縮方式１０７（圧縮率１／１０）を選択するように圧縮部１０３のスイッチ１０４及びスイッチ１０９の切替え制御が行われ、圧縮方式１０７（圧縮率１／１０）で圧縮されたオーディオデータが記録媒体１１１に記録される。このように、圧縮率の低い圧縮方式から順にデータ量の算出・空き容量との比較を行うので、より低い圧縮率の圧縮方式が選択可能となり、データの劣化を最小限にすることができる
【００４４】
ここで、圧縮方式１０７（圧縮率１／１０）を選択しても空き容量が圧縮されたオーディオデータ量未満であった場合には、圧縮方式１０８（圧縮率１／２０）で比較される。また、その比較結果として、空き容量が圧縮されたオーディオデータ量未満であった場合には、それ以上圧縮率の高い圧縮方式がないので、ユーザに記録可能な空き容量がないため、そのデータを記録するためには記録済みデータのいずれかを削除する必要がある旨を通知する。
【００４５】
図４は、第１の実施形態における記録媒体の記録内容及び管理情報の一例を示す説明図である。以上のように通常の圧縮方式１０５のみで記録を行った場合、５メガバイトの空き容量は使用不可能である。しかしながら、複数の圧縮方式を備え、ＣＰＵ１１２は記録媒体１１１の空き容量を管理し、記録媒体１１１の空き容量によって圧縮方式を選択して記録することで、空き容量に最大限記録が可能となり、使用できない容量を減らすことが可能になる。（上記実施形態では使用できない容量は０バイト）
【００４６】
このような第１の実施形態によれば、オーディオデータを圧縮、記録するオーディオデータ記録装置において、圧縮率の異なる複数の圧縮方式を持つ圧縮部を備え、記録媒体の空き容量を管理し、記録媒体の空き容量によって圧縮方式を選択し記録することで既に記録されているデータを削除することなく限られた記録容量を最大限有効活用するオーディオデータ記録装置を提供することができる。
【００４７】
なお、本実施形態においての圧縮方式の数（４方式）、また圧縮率（１／２、１／５、１／１０、１／２０）は本実施形態に限るものではなく、圧縮率の異なる複数の圧縮方式を持つ圧縮部を備え、記録媒体の空き容量を管理し、記録媒体の空き容量によって圧縮方式を選択し記録するものであれば同様の効果が得られる。
【００４８】
また、本実施形態においての通常圧縮率（１／２）は本実施形態に限るものではなく、複数の圧縮方式の中で最も圧縮率の高い圧縮方式でないものであれば同様の効果が得られる。
【００４９】
（第２の実施形態）
図５は本発明の第２の実施形態におけるオーディオデータ記録装置の基本的構成を示す図である。同図において、第１の実施形態で説明した図１と重複する部分には同一の符号を付す。
【００５０】
本実施形態のオーディオデータ記録装置２００は、圧縮部１０３でそれぞれの圧縮方式で圧縮されたオーディオデータを伸張可能な伸張方式２１５、伸張方式２１６、伸張方式２１７、伸張方式２１８と、どれを選択して伸張し出力するかを選択可能なスイッチ２１４及びスイッチ２１９とを有する構成される伸張部２１３を備える。本実施形態のオーディオデータ記録装置は、Ｄ／Ａ変換、増幅器、スピーカを更に備え、この伸長部２１３によって伸長されたオーディオデータを再生する、オーディオデータ記録再生装置の機能を備えてもよい。なお、伸長部２１３は、伸長手段の機能を有する。
【００５１】
ＣＰＵ２１２は記録部１１０の記録媒体１１１が記録している圧縮されたオーディオデータの圧縮方式を管理しており、その管理情報から伸張部２１３のスイッチ２１４及びスイッチ２１９の切替え制御を行い、選択された伸張を可能とする構成となっている。また、伸張部２１３は伸張したＰＣＭのオーディオデータを圧縮部１０３に出力可能な構成を有し、伸張したＰＣＭのオーディオデータを再度、圧縮部１０３のいずれかの圧縮方式で圧縮可能となっている。この際、デッキ部１０１から出力されるＰＣＭのオーディオデータと、伸張部２１３から出力される伸張したＰＣＭのオーディオデータの入力切替え制御はＣＰＵ２１２がスイッチ１０４を切り替えて行う。
【００５２】
図６は、複数の圧縮方式、圧縮率、及び伸長方式の対応関係の例を示す説明図である。  図６に示すように、圧縮部１０３において、圧縮方式１０５、圧縮方式１０６、圧縮方式１０７、圧縮方式１０８は、デッキ部１０１が出力するＰＣＭのオーディオデータを、それぞれ１／２、１／５、１／１０、１／２０に圧縮可能な圧縮方式である。そして、伸張部２１３において、伸張方式２１５、伸長方式２１６、伸長方式２１７、伸長方式２１８は、それぞれ、記録媒体１１１が出力する圧縮方式１０５、圧縮方式１０６、圧縮方式１０７、圧縮方式１０８で圧縮されたオーディオデータをＰＣＭのオーディオデータに伸張可能な伸長方式である。
【００５３】
上記のように構成されたオーディオデータ記録装置１００のオーディオデータの記録動作を説明する。図７は、第２の実施形態のデータ記録方法を示すフローチャートである。
【００５４】
図７のステップＳ７０１〜Ｓ７０５は、第１の実施形態で説明した図３におけるステップＳ３０１〜Ｓ３０５と同様のステップである。すなわち、オーディオデータのデータ量を取得すると、通常圧縮方式で圧縮した場合のデータ量を算出し、そのデータ量と空き容量とを比較し、圧縮データ量が空き容量以下であれば、スイッチ１０４及び１０９の切替え制御を行って、オーディオデータの圧縮及び記録を行う。なお、ＣＰＵ２１２は、記録後の空き容量と、圧縮して記録されたオーディオデータの圧縮方式と、記録媒体１１１の記録された記録領域とを管理情報として記録する。
【００５５】
ステップＳ７０４において、圧縮データ量が空き容量以下であると判断された場合（ステップＳ７０４のＮＯ）、圧縮データ量の算出の基となる圧縮方式が最も圧縮率の高い圧縮方法か否かが判断される（ステップＳ７０６）。そして、その圧縮方式より圧縮率の高い圧縮方法がある場合には（ステップＳ７０６のＮＯ）、第１の実施形態におけるステップＳ３０６と同様に、より圧縮率の高い圧縮方式で圧縮した場合のデータ量を算出する（ステップＳ７０７）。その後、ステップＳ７０３に戻り、圧縮データ量と空き容量とを比較する。
【００５６】
また、ステップＳ７０６において、圧縮データ量の算出の基となる圧縮方式が最も圧縮率の高い圧縮方法である場合、記録媒体１１１に記録されている、最も圧縮率の高くない圧縮方式で記録されたデータを検出する（ステップＳ７０８）。そして、検出したデータを伸長して、より高い圧縮率で圧縮した場合のデータ量及びそのときの空き容量を算出する（ステップＳ７０９）。そして、ステップＳ７０２に戻り、オーディオデータを通常圧縮方式で圧縮した場合のデータ量を算出する。
【００５７】
上述のデータ記録方法を、具体的な例を用いて説明する。図８は、第２の実施形態おける記録媒体の記録内容及び管理情報の一例示す説明図である。図８に示すように、記録媒体１１１には、既に空き容量が０バイトまでデータが記録されているものとする。
【００５８】
この状態で、ユーザが、更にデッキ部１０１にメディア１０２を挿入し、記録媒体１１１にオーディオデータを圧縮し記録する場合（デッキ部１０１が出力するＰＣＭのオーディオデータが、例えば５０メガバイト）、ＣＰＵ１１２は管理情報の空き容量（０バイト）と圧縮方式１０５から順に圧縮率の高い圧縮方式を選択した際の圧縮されたオーディオデータ量を比較する。
【００５９】
ここで、空き容量が０バイトであるので、最も圧縮率の高い圧縮方法１０８で圧縮した場合のデータ量も空き容量以下にはならず（Ｓ７０４のＮＯ）、そして、その圧縮方法１０８が最も圧縮率の高い圧縮方法である（ステップＳ７０６のＹＥＳ）。すなわち、全ての圧縮方式で記録不可能となる。
【００６０】
ＣＰＵ２１２は記録媒体１１１に既に記録されている圧縮されたオーディオデータの管理情報から圧縮方式１０５（圧縮率１／２）で圧縮されているオーディオデータの検索を行い、圧縮方式１０５で圧縮されているオーディオデータが検出される（図８における０〜２５メガバイトの領域が検出される）。このデータの検索は、圧縮率の低いオーディオデータから検索してもよいし、データ量の多いオーディオデータから検索してもよい。また、この両方を用いて検索してもよい。
【００６１】
ＣＰＵ２１２は、検出された領域の圧縮方式１０５に対応した伸張を行い、再度圧縮方式１０５よりも圧縮率の高い圧縮方式１０６を選択した場合の圧縮されたデータ量とその際の記録媒体１１１の空き容量を算出する（ステップＳ７０９）。この例では、２５メガバイトの圧縮されたオーディオデータを伸張して５０メガバイト（２倍）のＰＣＭのオーディオデータとなり、圧縮方式１０６の圧縮率１／５で再圧縮し１０メガバイトの圧縮されたオーディオデータとなるため、２５−１０＝１５メガバイトの空き容量が発生する。
【００６２】
その後、算出した空き容量の１５メガバイトと新たに記録するＰＣＭのオーディオデータ（５０メガバイト）を圧縮方式２０５から順に圧縮率の高い圧縮方式を選択した際の圧縮されたデータ量を比較すると（ステップＳ７０３）、空き容量１５メガバイトに対して圧縮されたオーディオデータは１０メガバイトであるので（ステップＳ７０４のＹＥＳ）、圧縮方式２０６で記録可能と判断する。
【００６３】
ＣＰＵ２１２は以上の計算を行い、記録媒体２１１から０〜２５メガバイトの領域を伸張部２１３の伸張２１５で伸張するようにスイッチ２１４及びスイッチ２１９の切替え制御を行う。伸張されたＰＣＭのオーディオデータは圧縮部１０３に出力され、ＣＰＵ２１２が圧縮部１０３のスイッチ１０４及びスイッチ１０９の切替え制御を行い圧縮方式１０６が選択され再圧縮される。
【００６４】
圧縮部１０３により再圧縮されたオーディオデータは再度記録部１１０の記録媒体１１１に記録され、１５メガバイトの空き容量が発生し、新たに管理情報として記録される。この１５メガバイトの領域にこれまで示した同様の手順で記録を行うことが可能となり、新たに記録するＰＣＭのオーディオデータ（５０メガバイト）は圧縮部１０３の圧縮方式１０６で圧縮され記録媒体１１１に記録される（ステップ７０５）。
【００６５】
このような第２の実施形態によれば、オーディオデータを圧縮、記録しするオーディオデータ記録装置において、圧縮率の異なる複数の圧縮方式を持つ圧縮部、圧縮率の異なる複数の圧縮方式から選択された圧縮方式で圧縮されたオーディオデータを伸張する伸張部を備え、記録媒体の空き容量と既に記録されている圧縮されたオーディオデータの圧縮方式を管理し記録媒体の空き容量によって既に記録されているオーディオデータを伸張しつつオーディオデータを再度圧縮率の高い圧縮方式で記録媒体に記録することで既に記録されているデータを削除することなく限られた記録容量を最大限有効活用するオーディオデータ記録再生装置を提供することができる。
【００６６】
なお、本実施形態においての圧縮方式の数（４方式）、また圧縮率（１／２、１／５、１／１０、１／２０）は本実施形態に限るものではなく、圧縮率の異なる複数の圧縮方式を持つ圧縮手段を備え、記録媒体の空き容量を管理し、記録媒体の空き容量によって圧縮方式を選択し記録するものであれば同様の効果が得られる。
【００６７】
また、本実施形態においての通常圧縮率（１／２）は本実施形態に限るものではなく、複数の圧縮方式の中で最も圧縮率の高い圧縮方式でないものであれば同様の効果が得られる。
【００６８】
更に、本実施形態においての再圧縮を行う手順は本実施形態に限るものではなく、既に記録されているオーディオデータを伸張し、より高い圧縮率で圧縮し、記録することで空き容量が発生し、同様の効果が得られる。
【産業上の利用可能性】
【００６９】
以上のように、本発明にかかるデータ記録装置及びデータ記録方法は、限られた記録容量を有効活用可能であるという効果を有し、オーディオデータ記録装置及びオーディオデータ記録方法等として有用である。
【図面の簡単な説明】
【００７０】
【図１】本発明の第１の実施形態におけるオーディオデータ記録装置の基本的構成を示す図
【図２】複数の圧縮方式と圧縮率との対応関係の例を示す説明図
【図３】第１の実施形態のデータ記録方法を示すフローチャート
【図４】第１の実施形態における記録媒体の記録内容及び管理情報の一例を示す説明図
【図５】本発明の第２の実施形態におけるオーディオデータ記録装置の基本的構成を示す図
【図６】複数の圧縮方式、圧縮率、及び伸長方式の対応関係の例を示す説明図
【図７】第２の実施形態のデータ記録方法を示すフローチャート
【図８】第２の実施形態おける記録媒体の記録内容及び管理情報の一例示す説明図
【図９】従来のディジタル情報記録システムの説明図
【符号の説明】
【００７１】
１００、２００  オーディオデータ記録装置
１０１  デッキ部
１０２  メディア
１０３  圧縮部
１０４、１０９、２１４、２１９  スイッチ
１０５〜１０８  圧縮方式
１１０  記録部
１１１  記録媒体
１１２、２１２  ＣＰＵ
２１３  伸長部
２１５〜２１８  伸長方式
【図１】
2005353108.tif 000003
【図２】
2005353108.tif 000004
【図３】
2005353108.tif 000005
【図４】
2005353108.tif 000006
【図５】
2005353108.tif 000007
【図６】
2005353108.tif 000008
【図７】
2005353108.tif 000009
【図８】
2005353108.tif 000010
【図９】
2005353108.tif 000011